(57)【特許請求の範囲】
【請求項１】
室外に配設される室外機と、室内に配設されて前記室外機から循環してきた冷媒と室内空気を熱交換させて当該室内空気を空気調和する室内機と、各部屋に設けられて空気調和された空気を当該部屋に吹出す吹出チャンバーと、天井裏及び床下に配設されて前記室内機からの空気調和された空気を前記吹出チャンバーに導く送風ダクトとを有する空気調和システムにおいて、
前記吹出チャンバーがチャンバー本体と、
該チャンバー本体における室内側の開口に設けられた吹出グリルと、
前記吹出グリルを取外し、前記チャンバー本体に収納して固定することにより据付けれて、当該吹出チャンバーを介して部屋に吹出す空気量を調整する風量調整器とを有すると共に、
前記風量調整器が、チャンバー本体の送風ダクト挿入口の内壁より適宜外壁側に取付けられた回動軸を持つ板状の風量調整弁を有し、かつ、該風量調整弁が吹出す空気を徐々に絞り、その後当該絞りを徐々に解除するように、該風量調整弁が前記送風ダクトを流れる空気の方向に対して傾斜を持つと共に該風量調整弁の下端部が前記送風ダクト挿入口より前記吹出チャンバー側に入り込むように設けられ、さらに前記風量調整弁の上端部が前記送風ダクトより適宜小さい径の円弧状に形成されると共に送風ダクトから逃げる方向に所定量折曲られて形成され、かつ、下端部が矩形状に形成されると共にそのコーナー部が前記送風ダクトより適宜大きく形成されていることを特徴とする空気調和システム。
【請求項２】
前記風量調整弁により部屋に吹出される空気量が４５％〜１００％の範囲で調整可能に設けられていることを特徴とする請求項１記載の空気調和システム。
【請求項３】
前記風量調整弁にアームが設けられると共に、当該アームにレバーが設けられて、当該レバーを操作することにより前記風量調整弁の角度を調整できるようにしたことを特徴とする請求項１又は２記載の空気調和システム。
【請求項４】
前記風量調整弁にアームが設けられると共に、当該アームに電動機が接続されて、当該電動機を操作することにより前記風量調整弁の角度を調整できるようにしたことを特徴とする請求項１又は２記載の空気調和システム。
【発明の詳細な説明】
【０００１】
【発明の属する技術分野】
本発明は、屋内全てを空気調和する空気調和システムに関する。
【０００２】
【従来の技術】
今日、高気密高断熱の住宅が普及し、これに伴い屋内全てを空気調和する空気調和システムが提案されている。
【０００３】
かかる空気調和システムは、室内機で空気調和された空気を天井裏や床下に配設された送風ダクトを介して各部屋に設けられた吹出チャンバーに導き、そこから部屋に吹出すことにより空気調和を行うものである。
【０００４】
【発明が解決しようとする課題】
しかしながら、従来の吹出チャンバーは、送風ダクトを介して送られてきた空気をそのまま部屋に吹出す構成であるため、部屋の状況に応じて吹出量を調整することができない問題があった。
【０００５】
そこで、本発明は、部屋の状況に応じて空気の吹出量を調節可能にした空気調和システムを提供することを目的とする。
【０００６】
【課題を解決するための手段】
上記課題を解決するため、請求項１にかかる発明は、室外に配設される室外機と、室内に配設されて室外機から循環してきた冷媒と室内空気を熱交換させて当該室内空気を空気調和する室内機と、各部屋に設けられて空気調和された空気を当該部屋に吹出す吹出チャンバーと、天井裏及び床下に配設されて室内機からの空気調和された空気を吹出チャンバーに導く送風ダクトとを有する空気調和システムにおいて、吹出チャンバーがチャンバー本体と、該チャンバー本体における室内側の開口に設けられた吹出グリルと、吹出グリルを取外し、チャンバー本体に収納して固定することにより据付けれて、当該吹出チャンバーを介して部屋に吹出す空気量を調整する風量調整器とを有すると共に、風量調整器が、チャンバー本体の送風ダクト挿入口の内壁より適宜外壁側に取付けられた回動軸を持つ板状の風量調整弁を有し、かつ、該風量調整弁が吹出す空気を徐々に絞り、その後当該絞りを徐々に解除するように、該風量調整弁が送風ダクトを流れる空気の方向に対して傾斜を持つと共に該風量調整弁の下端部が送風ダクト挿入口より吹出チャンバー側に入り込むように設けられ、さらに風量調整弁の上端部が送風ダクトより適宜小さい径の円弧状に形成されると共に送風ダクトから逃げる方向に所定量折曲られて形成され、かつ、下端部が矩形状に形成されると共にそのコーナー部が送風ダクトより適宜大きく形成されていることを特徴とする。
【０００８】
請求項２にかかる発明は、風量調整弁により部屋に吹出される空気量が４５％〜１００％の範囲で調整可能に設けられていることを特徴とする。
【０００９】
請求項３にかかる発明は、風量調整弁にアームが設けられると共に、当該アームにレバーが設けられて、当該レバーを操作することにより風量調整弁の角度を調整できるようにしたことを特徴とする。
【００１０】
請求項４にかかる発明は、風量調整弁にアームが設けられると共に、当該アームに電動機が接続されて、当該電動機を操作することにより風量調整弁の角度を調整できるようにしたことを特徴とする。
【００１１】
【発明の実施の形態】
本発明の実施の形態を図を参照して説明する。図１は本発明にかかる空気調和システムの基本構成を示している。当該空気調和システムは床側に配設された１階用の空気調和機と天井側に配設された２階用の空気調和機とからなり、これらの構成は後述する吸込チャンバーの構成が相違している以外は同じである。
【００１２】
各空気調和機は、室内機１０ａ，１０ｂ、室外機２０ａ，２０ｂ、換気ユニット３０、吸込チャンバー４０ａ，４０ｂ、分岐チャンバー５０ａ，５０ｂ、吹出チャンバー６０ａ，６０ｂ等により構成されている。
【００１３】
床側の室内機１０ａは、階段下のような閉空間内に配設されて、当該閉空間が吸込チャンバー４０ａとして作用している。
【００１４】
これにより、吸込チャンバー４０ａを別途設ける必要が無くなるので、製造コストを安価にすることが可能になる。
【００１５】
なお、本実施の形態においては、吸込チャンバー４０ａ，４０ｂに外気と室内空気とが冷房時及び暖房時を問わず一定比で流入する構成となっているが、当該比率を変える場合には、吸込チャンバー４０ａ，４０ｂ等にダンパー装置等を設ければよい。
【００１６】
また、図示しないが、室内機１０ａ，１０ｂには、冷媒と室内空気とを熱交換させる室内熱交換器、冷媒を減圧又は絞る減圧器、室内空気を室内熱交換器を介して循環させる室内送風器等が配設され、また室外機２０ａ，２０ｂには、冷媒を圧縮する圧縮機、冷媒と室内空気とを熱交換させる室外熱交換器、該室外熱交換器を介して外気を循環させる室外送風機等が配設されている。
【００１７】
さらに換気ユニット３０には、熱回収器と屋内の空気を吸気して排気する換気用送風機とが設けられて、これらは排気ダクト７０に配設されている。
【００１８】
当該排気ダクト７０の排気トップ７１及び外気取入口８０ａ，８０ｂには、図示しない防虫ネット等が被せてあり、室内に虫等が侵入しないようになっている。
【００１９】
また吹出チャンバー６０ａ，６０ｂには、吹出す空気量を調整する風量調整器９０が設けられている。図２は風量調整器９０が設けられた吹出チャンバー６０ａ，６０ｂの正面図であり、図３はその側面断面図である。
【００２０】
吹出チャンバー６０ａ，６０ｂは、箱体からなるチャンバー本体１０２を有し、その上部側面にはダクト挿入口９１が形成されて送風ダクト１００ａ，１００ｂが挿入され、下端には吹出グリル９２が取付けらて、内部に風量調整器９０が収納可能になっている。図４はその風量調整器９０の正面図、図５は側面図である。
【００２１】
なお、図２から図５に示す吹出チャンバー６０ｂは２階の部屋の天井に設けられるものであるが、本発明はこれに限定されるものではなく、１階の部屋における床側に設けられた吹出チャンバー６０ａに対しても適用可能である。
【００２２】
また、図４及び図５においては、後述するアームやレバー等を省略して示している。
【００２３】
当該風量調整器９０は、アングル等により形成された枠体９３、該枠体９３の上端部に回動自在に設けられた風量調整弁９４、該風量調整弁９４に連結されたアーム９５、該アーム９５に連結されると共に枠体９３の下端に回動自在に設けられたレバー９６等を有して、ビルトイン式の空気調和システムにあって、後付が可能なように設けられている。
【００２４】
そして、風量調整弁９４は、上端部９７は半円状に、また下端部９８は矩形状に形成された板状部材で、上端部９７は送風ダクト１００ａ，１００ｂから逃げるように所定角度θだけ折曲げられている。本実施の形態では、当該上端部９７の折曲角度θをθ＝１５度に設定している。
【００２５】
このとき、上端部９７の半円状部分はダクト挿入口９１に対して所定量Ｄだけ（例えば、Ｄ＝５ｍｍ）小さく形成され、また下端部９８における矩形状部分のコーナ部はダクト挿入口９１より適宜大きくなるように形成されている。
【００２６】
また風量調整弁９４の回動軸９９は、ダクト挿入口９１の先端位置より送風ダクト１００ａ，１００ｂ側に所定量近づけるように設けられている。
【００２７】
上記風量調整器９０を吹出し送風ダクト１００ａ，１００ｂに取付る手順は、先ず吹出グリル９２を取外し、その後風量調整器９０を吹出チャンバー６０ａ，６０ｂ内に挿入する。その後、吹出チャンバー６０ａ，６０ｂの側面からネジ１１０によりネジ止めして固定し、吹出グリル９２を取付けて完了する。
【００２８】
このような構成で、屋内を空気調和するときは、室内機１０ａ，１０ｂで空気調和された空気が分岐チャンバー５０ａ，５０ｂ、送風ダクト１００ａ，１００ｂを経て各部屋に設けられている吹出チャンバー６０ａ，６０ｂから送風される。
【００２９】
そして、各部屋の空気は廊下に集められ、その後室内機１０ａ，１０ｂに供給されて屋内全体が空気調和されるようになっている。
【００３０】
このとき、各部屋に送風される空気量を調整したい場合が生じる。例えば、冷房を行う場合、日のよく当る部屋は負荷が大きくなるので送風量を増やし、日影の部屋は負荷が小さくなるので送風量を少なくするような場合である。
【００３１】
図３において実線で示す風量調整弁９４は、風量が１００％になる位置であり、点線で示す風量調整弁９４は風量が約４５％になる位置に設定されている。実線と点線との風量調整弁９４のなす角度は約６５度となっている。
【００３２】
従って、レバー９６を回することにより風量調整弁９４の角度を変化させて風量を変えることが可能になる。
【００３３】
このとき、例えば風量を約４５％にしたときに問題となるのが、送風ダクト１００ａ，１００ｂから送られる空気を風量調整弁９４で規制することにより生じる送風音の発生である。
【００３４】
本発明では、かかる送風音の発生を押えるために、風量を絞った状態でも風量調整弁９４が送風ダクト１００ａ，１００ｂの軸（送風ダクト１００ａ，１００ｂを流れる空気の方向）に対して傾斜を持つようにしている。
【００３５】
これにより、送風ダクト１００ａ，１００ｂを流れてきた空気は、風量調整弁９４で徐々に絞られて当該風量調整弁９４の沿って下端側の圧力が上昇する。
【００３６】
このとき、風量調整弁９４の上端部を半円状にし、かつ、ダクト挿入口９１より所定量小さく形成されているので、この隙間から空気が漏れ出るようにして吹出チャンバー６０ａ，６０ｂ内に流入するようになる。しかし、この隙間から漏れ出る空気の圧力は低いので、そのときに発生する送風音は非常に小さい。
【００３７】
一方、風量調整弁９４の下端部は、ダクト挿入口９１の先端より吹出チャンバー６０ａ，６０ｂ側に適量入り込むようになっているので、当該下端部から吹出チャンバー６０ａ，６０ｂに空気が流入してもこの空気にたいする絞りが急激になくならないので（徐々に絞り量が小さくなる）、やはり大きな送風音の発生を抑制することが可能になる。
【００３８】
実験の結果、送風量を１００％にしたときと４５％にしたときの送風音は、前者が２５ｄＢ、後者が２６ｄＢであり、送風音の発生が効果的に押えられていることが確認できた。
【００３９】
なお、上記説明では、風量調整弁９４による風量の調整はレバー９６を手で操作することにより行う場合について説明したが、本発明はこれに限定されるものではない。
【００４０】
例えば、日当りの善し悪しは、家の方角や造作等により決るものであるため、日当りのよい部屋は風量を１００％に固定し、日当りの悪い部屋は風量を４５％に固定することも可能である。このような場合には、レバー９６等が不要になる。
【００４１】
また、レバー９６操作が面倒な場合には、電動化することも可能であり、リモコン等により制御するようにすればよい。
【００４２】
【発明の効果】
以上説明したように請求項１にかかる発明によれば、吹出グリルを取外し、チャンバー本体に収納して固定することにより吹出チャンバーに据付けれて、当該吹出チャンバーを介して部屋に吹出す空気量を調整する風量調整器を設けると共に、風量調整器が、チャンバー本体の送風ダクト挿入口の内壁より適宜外壁側に取付けられた回動軸を持つ板状の風量調整弁を有し、かつ、該風量調整弁が吹出す空気を徐々に絞り、その後当該絞りを徐々に解除するように、該風量調整弁が送風ダクトを流れる空気の方向に対して傾斜を持つと共に該風量調整弁の下端部が送風ダクト挿入口より吹出チャンバー側に入り込むように設けられ、さらに風量調整弁の上端部が送風ダクトより適宜小さい径の円弧状に形成されると共に送風ダクトから逃げる方向に所定量折曲られて形成され、かつ、下端部が矩形状に形成されると共にそのコーナー部が送風ダクトより適宜大きく形成したので、部屋の状況に応じて空気の吹出量を調節できるようになると共に、風量を絞っても送風音が大きくなることが無くなる。
【００４４】
請求項２にかかる発明によれば、風量調整弁により部屋に吹出される空気量が４５％〜１００％の範囲で調整可能に設けたので、部屋の状況に応じて空気の吹出量を調節できるようになる。
【００４５】
請求項３にかかる発明によれば、風量調整弁にアームが設けられると共に、当該アームにレバーが設けられて、当該レバーを操作することにより風量調整弁の角度を調整できるようにしたので、簡便に部屋の状況に応じて空気の吹出量を調節できるようになる。
【００４６】
請求項４にかかる発明によれば、風量調整弁にアームが設けられると共に、当該アームに電動機が接続されて、当該電動機を操作することにより風量調整弁の角度を調整できるようにしたので、簡便に部屋の状況に応じて空気の吹出量を調節できるようになる。
【図面の簡単な説明】
【図１】本発明にかかる空気調和システムを示す図である。
【図２】吹出チャンバーの正面図である。
【図３】図２の横断面図である。
【図４】風量調整器の正面図である。
【図５】図４の側面図である。
【符号の説明】
１０ａ，１０ｂ  室内機
２０ａ，２０ｂ  室外機
３０  換気ユニット
４０ａ，４０ｂ  吸込チャンバー
５０ａ，５０ｂ  分岐チャンバー
６０ａ，６０ｂ  吹出チャンバー
７０  排気ダクト
７１  排気トップ
９０  風量調整器
９１  ダクト挿入口
９２  吹出グリル
９３  枠体
９４  風量調整弁
９５  アーム
９６  レバー
９７  上端部
９８  下端部
９９  回動軸
１００ａ，１００ｂ  送風ダクト
１０２  チャンバー本体
１１０  ネジ
【図１】
0004225625.tif 000002
【図２】
0004225625.tif 000003
【図３】
0004225625.tif 000004
【図４】
0004225625.tif 000005
【図５】
0004225625.tif 000006